(57)【要約】 【課題】  供給手段と集積手段とを備えて一体に構成した供給集積部を複数備え、この供給集積部の供給手段と集積手段を切り替えることによって再供給時の２次区分を行う郵便物配達区分機を提供する。【解決手段】  供給手段と集積手段とを備えて一体に構成した複数の供給集積部１０〜３０から供給された郵便物Ｐの配達区分情報を読取部５で読み取り、認識を行う。この認識結果に基づいて、配達区分情報の例えば１の桁によって、供給集積部１００〜１２０に集積する。次に、供給集積部１００に集積された郵便物Ｐを供給して、読取部５で読み取り、この認識結果に基づいて、配達区分情報の例えば１０の桁によって、上記供給集積部１０〜３０に集積する。同様に供給集積部１１０、１２０の郵便物Ｐも供給して同様に上記集積部１０〜３０に集積することによって郵便物Ｐを揃えて集積することができる。【選択図】  図１
2005288348.tif 000002
【特許請求の範囲】
【請求項１】
郵便物に記載された配達区分情報を読み取り、区分面によって設定された集積部に集積
する郵便物配達区分機であって、
前記郵便物を正方向及び逆方向に搬送する搬送手段と、
前記搬送手段の一方の端に設けられ、前記郵便物を前記搬送手段に供給する第1の供給手
段と、前記郵便物を集積する第1の集積手段とを一体に備えた第１の供給集積部と、
前記搬送手段の他方の端に設けられ、前記郵便物を前記搬送手段に供給する第2の供給手
段と、前記郵便物を集積する第2の集積手段とを一体に備えた第2の供給集積部と、
前記第１の供給集積部と前記第２の供給集積部との間に配置され、前記第１の供給集積部
の第1の供給手段によって供給された前記郵便物が前記搬送手段によって正方向に搬送さ
れるとき、又は前記第2の供給集積部の第2の供給手段によって供給された前記郵便物が前
記搬送手段によって逆方向に搬送されるとき、前記郵便物に記載された配達区分情報を読
み取り、認識する読取手段と、
この読取手段の認識結果に基づいて区分するための区分先である前記第1又は前記第2の供
給集積部を設定する区分面設定手段と、
前記第１の供給集積部の前記第1の供給手段を用いて前記郵便物を供給する１次供給のと
きに、前記読取手段の認識結果に基づいて前記区分面設定手段によって設定された前記第
2の集積手段に集積することによって1次区分し、この１次区分したときの前記第1の供給
手段を前記第１の集積手段に切り替えて設定し、さらに前記１次区分したときの前記第2
の集積手段を前記第2の供給手段に切り替えて設定し、前記第2の供給手段に集積された前
記郵便物を２次供給して新たに前記区分面設定された前記第1の集積手段に集積すること
によって2次区分する区分処理を行う制御手段と
を備えたことを特徴とする郵便物配達区分機。
【請求項２】
郵便物に記載された配達区分情報を読み取り、区分面によって設定された集積部に集積
する郵便物配達区分機であって、
前記第1の供給集積部は、前記搬送手段の一方の端に複数設けられ、前記第2の供給集積部
は、前記搬送手段の他方の端に前記第1の供給集積部と同数設けられたことを特徴とする
請求項１記載の郵便物配達区分機。
【請求項３】
郵便物に記載された配達区分情報を読み取り、区分面によって設定された集積部に集積
する郵便物配達区分機であって、
前記郵便物を正方向及び逆方向に搬送する搬送手段と、
前記搬送手段の一方の端に設けられ、前記郵便物を前記搬送手段に供給する第1の供給手
段と、前記郵便物を集積する第1の集積手段とを一体に備えた第１の供給集積部と、
前記搬送手段の他方の端に設けられ、前記郵便物を前記搬送手段に供給する第2の供給手
段と、前記郵便物を集積する第2の集積手段とを一体に備えた第2の供給集積部と、
前記第１の供給集積部と前記第２の供給集積部との間に配置され、前記第１の供給集積部
の第1の供給手段によって供給された前記郵便物が前記搬送手段によって正方向に搬送さ
れるとき、又は前記第2の供給集積部の第2の供給手段によって供給された前記郵便物が前
記搬送手段によって逆方向に搬送されるとき、前記郵便物に記載された配達区分情報を読
み取り、認識する読取手段と、
この読取手段の認識結果に基づいて区分するための区分先である前記第1又は前記第2の供
給集積部を設定する区分面設定手段と、
前記第１の供給集積部の前記第1の供給手段を用いて前記郵便物を供給する１次供給のと
きに、前記読取手段の認識結果に基づいて前記区分面設定手段によって設定された前記第
2の集積手段に集積することによって1次区分し、この１次区分したときの前記第1の供給
手段を前記第１の集積手段手段に切り替えて設定し、さらに前記１次区分したときの前記
第2の集積手段を前記第2の供給手段に切り替えて設定し、前記第2の供給手段に集積され
た前記郵便物を２次供給して新たに前記区分面設定された前記第1の集積手段に集積する
ことによって2次区分するとき、この前記集積手段と前記供給手段の切り替えをｎ回行い
、ｎ次区分する区分処理を行う制御手段と
を備えたことを特徴とする郵便物配達区分機。
【請求項４】
前記第1又は第2の供給手段は、
前記郵便物を収納するスタッカと、
このスタッカに供給された前記郵便物を取り出す正方向又は逆方向に回転可能な取出集積
ローラと、
前記スタッカに供給された郵便物を前記取出集積ローラを正回転することによって前記搬
送路に1枚ずつ送出する供給集積制御手段と、
を備えたことを特徴とする請求項１又は請求項３記載の郵便物配達区分機。
【請求項５】
前記第1又は第2の集積手段は、
前記郵便物を集積するスタッカと、
このスタッカに集積するために前記郵便物を取り込む正方向又は逆方向に回転可能な取出
集積ローラと、
前記搬送路によって搬送される前記郵便物を前記集積ローラを逆回転することによって前
記スタッカに1枚ずつ取り込んで集積する供給集積制御手段と
を備えたことを特徴とする請求項１又は請求項３記載の郵便物配達区分機。
【発明の詳細な説明】
【技術分野】
【０００１】
本発明は、例えば郵便物を供給部から供給し、郵便物に記載された配達区分情報を読み
取り、複数の集積部に集積する郵便物配達区分機において、特に、供給部と集積部を複数
備え、供給部と集積部を共通にすることによって再供給時の２次区分を行う複数の供給集
積部を備えた郵便物配達区分機に関する。
【背景技術】
【０００２】
従来の郵便物配達区分機は、供給部に供給された郵便物を１枚ずつ取出し、郵便物に記
載されている文字情報を読み取り、認識した結果に基づいて区分し、当該郵便物を複数の
集積部に１次区分する。この１次区分された郵便物を手動で抜き取り、再度供給部に供給
して配達区分する２次区分作業を複数回繰り返す、いわゆる基数ソート法によって区分（
配達区分）及び整列していた。すなわち、郵便物を１次区分後、手動で郵便物の抜き取り
を行い、再度供給部まで運搬し、再度手動で供給する作業を複数回行っていた。（例えば
、特許文献１参照。）。
【特許文献１】特開２０００−１１７１９６号公報  （第１―６頁、図６）
【発明の開示】
【発明が解決しようとする課題】
【０００３】
しかしながら、特許文献１記載の方法は、手作業が入るため、システム全体での処理速
度が低下するという問題があった。また、1回の供給で郵便物の区分を行う場合、大量の
集積部を用意しなければならないため、機械が大きくなってしまい非効率になるという問
題があった。
【０００４】
本発明は上記問題を解決するためになされたもので、供給手段と集積手段とを備えて一
体に構成した供給集積部を複数備え、この供給集積部の供給手段と集積手段を切り替える
ことによって再供給時の２次区分を行う郵便物配達区分機を提供することを目的とする。
【課題を解決するための手段】
【０００５】
上記目的を達成するために、本発明の郵便物配達区分機は、郵便物に記載された配達区
分情報を読み取り、区分面によって設定された集積部に集積する郵便物配達区分機であっ
て、前記郵便物を正方向及び逆方向に搬送する搬送手段と、前記搬送手段の一方の端に設
けられ、前記郵便物を前記搬送手段に供給する第1の供給手段と、前記郵便物を集積する
第1の集積手段とを一体に備えた第１の供給集積部と、前記搬送手段の他方の端に設けら
れ、前記郵便物を前記搬送手段に供給する第2の供給手段と、前記郵便物を集積する第2の
集積手段とを一体に備えた第2の供給集積部と、前記第１の供給集積部と前記第２の供給
集積部との間に配置され、前記第１の供給集積部の第1の供給手段によって供給された前
記郵便物が前記搬送手段によって正方向に搬送されるとき、又は前記第2の供給集積部の
第2の供給手段によって供給された前記郵便物が前記搬送手段によって逆方向に搬送され
るとき、前記郵便物に記載された配達区分情報を読み取り、認識する読取手段と、この読
取手段の認識結果に基づいて区分するための区分先である前記第1又は前記第2の供給集積
部を設定する区分面設定手段と、前記第１の供給集積部の前記第1の供給手段を用いて前
記郵便物を供給する１次供給のときに、前記読取手段の認識結果に基づいて前記区分面設
定手段によって設定された前記第2の集積手段に集積することによって1次区分し、この１
次区分したときの前記第1の供給手段を前記第１の集積手段に切り替えて設定し、さらに
前記１次区分したときの前記第2の集積手段を前記第2の供給手段に切り替えて設定し、前
記第2の供給手段に集積された前記郵便物を２次供給して新たに前記区分面設定された前
記第1の集積手段に集積することによって2次区分する区分処理を行う制御手段とを備えた
ことを特徴とする。
【発明の効果】
【０００６】
本発明によれば、供給手段と集積手段とを備えて一体に構成した供給集積部を複数備え
、この供給集積部の供給手段と集積手段を切り替えることによって再供給時の２次区分を
自動的に行う郵便物配達区分機を提供することができる。
【０００７】
供給部と集積部を複数備え、供給部と集積部を共通にすることによって再供給時の２次
区分を行う郵便物配達区分機を提供することができる。
【発明を実施するための最良の形態】
【０００８】
以下、図面を参照して本発明の実施例を説明する。
【実施例】
【０００９】
図１は、本発明の実施例による複数供給集積部による郵便物配達区分機１の内部構成を
概略的に示す図である。通常、郵便物配達区分機は、供給部から供給された郵便物を取出
部によって１枚ずつ取り出して搬送路に送出する。そして、この送出された郵便物を読取
部で認識し、その認識家結果に基づいて、郵便物を区分して集積部に集積する装置である
。
【００１０】
本実施例による郵便物配達区分機１は、上記供給部に相当する部分に供給部（供給手段
）と集積部（集積手段）を備えた複数の供給集積部（第１の供給集積部）１０〜３０が設
けられている。また、上記集積部に相当する部分にも供給部（供給手段）と集積部（集積
手段）を備えた供給集積部（第２の供給集積部）１００〜１２０が設けられている。これ
ら供給集積部１０〜３０、及び１００〜１２０は同様に構成されている。
【００１１】
第１の供給集積部と第２の供給集積部の間には、正逆搬送可能な搬送路３（搬送手段）
が設けられており、この搬送路３に沿って、振分ゲートＧ１〜Ｇ３、排除部４、読取部５
、印字部６、排除部７、振分ゲートＧ１０〜Ｇ１２、制御部８ａ、供給集積制御部８ｂ及
び操作パネル８ｃが設けられている。
【００１２】
さらに、第１の供給集積部側の搬送路を駆動するモータ２ａ、及び第２の供給集積部側
の搬送路を駆動するモータ２ｂが設けられている。
【００１３】
供給集積部１０〜３０、及び１００〜１２０は同様に構成されているため、供給集積部
部１０から郵便物Ｐが取出され搬送路３に送出される場合を例に説明する。
【００１４】
供給集積部１０は、第１面に配達区分情報としての数字や文字などが書き込まれ或いは
印刷された複数の郵便物Ｐが、この第１面が同一方向を向くように、オペレータによって
揃えて供給されると、この供給された郵便物Ｐを所定の取出位置へ順次供給する。この取
出位置には、郵便物Ｐを主搬送路３に沿って所定の間隔で１通ずつ取り出す取出集積ロー
ラ１１が設けられている。
【００１５】
上記供給集積部１０に供給される郵便物Ｐには、その第１面に配達区分情報に対応した
文字のみが記載されたもの以外に、機械コードとして大口の配達区分先に予め決められて
いるカスタマコードや郵便物Ｐの配達区分先に対応して読取区分機本体１内で決められる
局内バーコード、又は読取部５にて配達区分情報の認識が不能となった郵便物Ｐに付与さ
れるＩＤコードなどが記載されたものがある。なお、これらの各コードは、バーコード化
した情報として郵便物Ｐの第１面に付与されるものである。
【００１６】
上記供給集積部１０に供給される郵便物Ｐは、供給集積制御部８ｂによって取出集積ロ
ーラ１１を正回転しスタッカ１２から一定間隔で取り出されて、一定速度で搬送する搬送
路３により一定の搬送間隔（ピッチ）で搬送される。搬送路３上を搬送される郵便物Ｐは
、機械処理が不可能な異物の場合には排除部４に排除され、機械処理が可能な郵便物Ｐの
みが搬送される。
【００１７】
読取部５（読取手段）は、スキャナ部（文字読取部、図示しない）、認識部（文字認識
部、図示しない）、及びバーコード読取部（図示しない）を備えている。
【００１８】
スキャナ部は、主搬送路３上の郵便物Ｐの配達区分情報が記載されている面を読み取り
、その読み取った画像を画像バッファ（図示しない）に送信する。この送信された画像は
、配達区分情報を認識する認識部へ送信される。上記バーコード読取部は、主搬送路３上
を搬送される郵便物Ｐの第１面にＩＤコードあるいは機械コードが付与されている場合に
、そのＩＤコード、あるいは機械コードを読み取るものである。
【００１９】
上記印字部６は、必要に応じて郵便物Ｐの第１面にＩＤコード、あるいは機械コードを
印刷するものである。これは、読取部５によって配達区分情報が認識できた場合に、その
配達区分情報をバーコード化して郵便物上に機械コードを印刷し、読取部５によって配達
区分情報が認識できなかった場合に、ＩＤコードを印刷するものである。
【００２０】
排除部７は、第２の供給集積部１００〜１２０から供給され、モータ２ａ及び２ｂによ
って搬送路３上を逆搬送された郵便物Ｐが機械処理不可能な場合に排除された当該郵便物
を集積する。
【００２１】
排除部７の郵便物Ｐが正搬送された場合の搬送方向下流側には、搬送路３上を搬送され
てきた郵便物Ｐの読取部５による認識結果に基づいて区分するための区分先である供給集
積部（第２の供給集積部）１００〜１２０が設けられている。この供給集積部１００〜１
２０は、供給集積制御部（供給集積制御手段）８ｂによって取出集積ローラ１１が逆回転
（郵便物Ｐを取り込む方向に回転）して区分された郵便物Ｐを集積する。
【００２２】
また、供給集積部１００〜１２０は複数あるため、どの供給集積部に郵便物Ｐの配達区
分情報を対応させるかは、オペレータが操作部８ｃの操作画面から入力する区分面設定手
段によって設定される。図１では供給集積部が３個ある場合を例に図示してある。
【００２３】
次に、供給集積部の個数について簡単に説明する。例えば、郵便物Ｐを配達する順番に
集積する道順組み立てを行う場合、配達区分情報に基づく所定の範囲の郵便物Ｐが配達す
る道順に沿って整列されて１個の供給集積部に集積されるため、多くの供給集積部がなく
ても道順組み立ての目的が達成される。
【００２４】
次に、上述したように、少ない供給集積部を用いて多くの郵便物を区分して集積する方
法を図２〜図４を参照して説明する。
【００２５】
図２は、第１供給集積部に供給した郵便物Ｐ＊＊（＊＊は、郵便物Ｐの配達区分情報）
を第２の供給集積部１００〜１３０に集積する第１回目の区分方法である。
【００２６】
配達区分情報の１の桁が“０”〜“３”で、かつ１０の桁が“０”〜“３”で表現でき
る郵便物Ｐ００〜Ｐ３３は、１６通あり、この１６通の郵便物を４個の供給集積部に区分
して集積する場合を例に区分方法を説明する。
【００２７】
最初に、１６通の郵便物Ｐ００〜Ｐ３３を第１の供給集積部の供給集積部１０に供給す
る。供給集積部１０には１６通の郵便物が収容可能なので、その他の供給集積部２０〜４
０には郵便物を供給しないものとする。
【００２８】
このとき、区分面設定手段によって設定された設定情報に基づいて制御部（制御手段）
８ａは、第２の供給集積部の供給集積部１００に配達区分情報の１桁目が“０”の郵便物
Ｐ＊０を集積するように事前に設定し、供給集積部１１０に配達区分情報の１桁目が“１
”の郵便物Ｐ＊１を集積するように事前に設定し、供給集積部１２０に配達区分情報の１
桁目が“２”の郵便物Ｐ＊２を集積するように事前に設定し、供給集積部１３０に配達区
分情報の１桁目が“３”の郵便物Ｐ＊３を集積するように事前に設定する。
【００２９】
この状態で、例えば、区分処理を行うと、供給集積部１０から１枚ずつ取出された郵便
物Ｐ＊＊は、上記区分面指定によって、郵便物Ｐ＊＊の１の桁が“０”である郵便物Ｐ＊
０は供給集積部１００に集積される。この結果例えば、図示したように郵便物Ｐ００、Ｐ
３０、Ｐ１０、Ｐ２０が底部から順に集積される。
【００３０】
同様に、供給集積部１０から１枚ずつ取出された郵便物Ｐ＊＊は上記区分面指定によっ
て、郵便物Ｐ＊＊の１の桁が“１”である郵便物Ｐ＊１は供給集積部１１０に集積される
。この結果例えば、図示したように郵便物Ｐ０１、Ｐ２１、Ｐ３１、Ｐ１１が底部から順
に集積される。
【００３１】
同様に、供給集積部１０から１枚ずつ取出された郵便物Ｐ＊＊は上記区分面指定によっ
て、郵便物Ｐ＊＊の１の桁が“２”である郵便物Ｐ＊０は供給集積部１２０に集積される
。この結果例えば、図示したように郵便物Ｐ３２、Ｐ０２、Ｐ２２、Ｐ１２が底部から順
に集積される。
【００３２】
同様に、供給集積部１０から１枚ずつ取出された郵便物Ｐ＊＊は上記区分面指定によっ
て、郵便物Ｐ＊＊の１の桁が“３”である郵便物Ｐ＊３は供給集積部１３０に集積される
。この結果例えば、図示したように郵便物Ｐ０３、Ｐ２３、Ｐ１３、Ｐ３３が底部から順
に集積される。以上の結果、第１の供給集積部から供給された郵便物Ｐ＊＊の１の桁が同
じ郵便物は、第２の供給集積部の同じ供給集積部に集積される。しかしながら、このよう
にして第２の供給集積部に集積された郵便物Ｐ＊＊の１０の桁は不揃いである。
【００３３】
次に、図３を参照して第２の供給集積部に供給した郵便物Ｐ＊＊を第１の供給集積部１
０〜４０に集積する第２回目の区分方法について説明する。
【００３４】
最初に、供給集積部１００に集積された１の桁が“０”の郵便物Ｐ＊０を取出集積ロー
ラ１０１を正回転（郵便物を取り出す方向の回転）によって１枚ずつ順に取り出し、搬送
路３に送出する。このとき、振り分けゲートＧ１０は右側に回動し、Ｇ１１、Ｇ１２は左
側に回動して、供給集積部１００から送出された郵便物Ｐ＊＊が第１の供給集積部側に搬
送するのに必要な振りえ分けゲート状態が設定される。
【００３５】
また、搬送路３に送出された郵便物Ｐ＊０は一定速度で搬送する主搬送路３により一定
の搬送間隔（ピッチ）で搬送される。この搬送された郵便物Ｐ＊０を読取部５で認識し、
その認識結果に基づいて、郵便物Ｐ＊０を第１の供給集積部である供給集積部１０〜４０
に区分する。この区分によって郵便物Ｐ２０は供給集積部３０に集積され、郵便物Ｐ１０
は供給集積部２０に集積され、郵便物Ｐ３０は供給集積部４０に集積され、郵便物Ｐ００
は供給集積部１０に集積される。この結果、供給集積部１０〜４０の各底部にはＰ００、
Ｐ１０、Ｐ２０及びＰ３０が集積される。
【００３６】
上記供給集積部に必要な振分ゲートはパス（通過可能）状態に設定（回動）される。例
えば、供給集積部２０に集積する場合は、振り分けゲートＧ３は、右側に回動され、振分
ゲートＧ２は、左側に回動されて搬送される郵便物Ｐ＊＊が供給集積部２０の方向に搬送
される。振り分けゲートの動作は供給部と集積部によって同様に制御されるが、基本的な
動作は同じであるので以下の説明ではその説明を省略する。
【００３７】
次に、供給集積部１１０に集積された１の桁が“１”の郵便物Ｐ＊１を取出集積ローラ
１１１によって１枚ずつ順に取り出し、搬送路３に送出する。搬送路３に送出された郵便
物Ｐ＊１は一定速度で搬送する主搬送路３により一定の搬送間隔（ピッチ）で搬送される
。この搬送された郵便物Ｐ＊１を読取部５で認識し、その認識家結果に基づいて、郵便物
Ｐ＊１を第１の供給集積部である供給集積部１０〜４０に区分する方法である。この区分
によって郵便物Ｐ１１は供給集積部２０に集積され、郵便物Ｐ３１は供給集積部４０に集
積され、郵便物Ｐ２１は供給集積部３０に集積され、郵便物Ｐ０１は供給集積部１０に集
積される。この結果、供給集積部１０〜４０の郵便物Ｐ＊０の上には郵便物Ｐ０１、Ｐ１
１、Ｐ２１及びＰ３１が集積される。この集積された状態を実線で示してある。
【００３８】
次に、供給集積部１２０に集積された１の桁が“２”の郵便物Ｐ＊２を取出集積ローラ
１２１によって１枚ずつ順に取り出し、搬送路３に送出する。搬送路３に送出された郵便
物Ｐ＊２は一定速度で搬送する主搬送路３により一定の搬送間隔（ピッチ）で搬送される
。この搬送された郵便物Ｐ＊２を読取部５で認識し、その認識家結果に基づいて、郵便物
Ｐ＊２を第１の供給集積部である供給集積部１０〜４０に区分する方法である。この区分
によって郵便物Ｐ１２は供給集積部２０に集積され、郵便物Ｐ２２は供給集積部３０に集
積され、郵便物Ｐ０２は供給集積部１０に集積され、郵便物Ｐ３２は供給集積部４０に集
積される。この結果、供給集積部１０〜４０の郵便物Ｐ＊１の上には郵便物Ｐ０２、Ｐ１
２、Ｐ２２及びＰ３２が集積される。
【００３９】
次に、供給集積部１３０に集積された１の桁が“３”の郵便物Ｐ＊３を取出集積ローラ
１３１（図示しない）によって１枚ずつ順に取り出し、搬送路３に送出する。搬送路３に
送出された郵便物Ｐ＊３は一定速度で搬送する主搬送路３により一定の搬送間隔（ピッチ
）で搬送される。この搬送された郵便物Ｐ＊３を読取部５で認識し、その認識家結果に基
づいて、郵便物Ｐ＊３を第１の供給集積部である供給集積部１０〜４０に区分する方法で
ある。この区分によって郵便物Ｐ３３は供給集積部４０に集積され、郵便物Ｐ１３は供給
集積部２０に集積され、郵便物Ｐ２３は供給集積部３０に集積され、郵便物Ｐ０３は供給
集積部１０に集積される。この結果、供給集積部１０〜４０の郵便物Ｐ＊２の上には郵便
物Ｐ０３、Ｐ１３、Ｐ２３及びＰ３３が集積される。
【００４０】
図４は、複数供給集合部による郵便物の第２回区分方法を説明する図である。この図は
、上述した方法によって集積された郵便物Ｐ＊＊の最終的な集積結果を示している。すな
わち、混在していた郵便物Ｐ＊＊は、第１の供給集積部１０に一括して供給することによ
って、第２の供給集積部１００〜１３０に１次区分される。この１次区分された郵便物は
、第２供給集積部１００〜１３０から順に取出され、第１の供給集積部の各供給集積部１
０〜４０に再区分して２次集積される。この２次集積によって、第１の供給集積部に自動
的に整列して集積される。この区分方法は、人手による再供給を必要としないため、効率
的な供給方法となる。
【００４１】
ここでは、第１の供給集積部及び第２の供給集積部にそれぞれ４個の供給集積部を用い
た例を示したが、本発明はこれに限定したものではなく、配達区分情報に応じて増減して
運用可能なのは明らかなことである。
【図面の簡単な説明】
【００４２】
【図１】本発明の実施例による複数供給集積部による郵便物配達区分機の内部構成を概略的に示す図である。
【図２】複数供給集積部による郵便物の第1回目の区分方法を説明する図。
【図３】複数供給集合部による郵便物の第2回目の区分方法を説明する途中の状態図。
【図４】複数供給集合部による郵便物の第2回目の区分方法を説明する図。
【符号の説明】
【００４３】
Ｐ００〜Ｐ０３、Ｐ１０〜Ｐ１３、Ｐ２０〜Ｐ２３、Ｐ３０〜Ｐ３３、  郵便物
Ｇ１、Ｇ２、Ｇ３、Ｇ１０、Ｇ１１、Ｇ１２  振り分けゲート
１  郵便物配達区分機
２ａ、２ｂ  モータ
３  搬送路
４、７  排除部
５  読取部
６  印字部
８ａ  制御手部
８ｂ  供給集積制御部
８ｃ  操作部
１０、２０、３０、４０、１００、１１０、１２０、１３０  供給集積部
１１、２１、３１、１０１、１１１、１２１、  取出集積ローラ
１２、２２、３２、１０２、１１２、１２２、  スタッカ
【図１】
2005288348.tif 000003
【図２】
2005288348.tif 000004
【図３】
2005288348.tif 000005
【図４】
2005288348.tif 000006